(57)【要約】【課題】  操作端末で操作した操作結果の画面と、表示装置に表示される操作結果の画面の作成に時間がかかる。【解決手段】  同一コンテンツに対して複数のサイズのコンテンツを用意するマルチサイズコンテンツ準備部を有するコンテンツサーバーと、操作の入力によって特定されるコンテンツの読み込み命令を表示装置へ送信する通信部を有するとともに、前記読み込み命令で指示されたコンテンツの当該操作端末に対応するサイズのコンテンツを前記マルチサイズコンテンツ準備部から読み込み、操作画面に表示する操作端末と、前記読み込み命令で指示されたコンテンツの当該表示装置に対応するサイズのコンテンツを前記マルチサイズコンテンツ準備部から読み込み、外部画面に表示する前記表示装置とを有する。【選択図】  図１
2015161957.tif 000002
【特許請求の範囲】
【請求項１】
同一コンテンツに対して複数のサイズのコンテンツを用意するマルチサイズコンテンツ準備部を有するコンテンツサーバーと、
操作の入力によって特定されるコンテンツの読み込み命令を表示装置へ送信する通信部を有するとともに、前記読み込み命令で指示されたコンテンツの当該操作端末に対応するサイズのコンテンツを前記マルチサイズコンテンツ準備部から読み込み、操作画面に表示する操作端末と、
前記読み込み命令で指示されたコンテンツの当該表示装置に対応するサイズのコンテンツを前記マルチサイズコンテンツ準備部から読み込み、外部画面に表示する前記表示装置とを有する
ことを特徴とする画面管理システム。
【請求項２】
請求項１に記載の画面管理システムであって、
前記表示装置が更に、
前記外部画面の画面表示が完了した表示完了命令を前記操作端末へ送信するコンテンツ同期処理部を有し、
前記操作端末が更に、
前記表示完了命令を受信した場合に、前記読み込んだコンテンツを操作画面に表示する
ことを特徴とする画面管理システム。
【請求項３】
請求項１乃至請求項２のいずれかに記載の画面管理システムであって、
前記操作端末が前記表示装置に前記コンテンツの読み込み命令を送信した場合に、前記コンテンツサーバーがそれぞれのサイズにあったアクセス情報を、前記操作端末と前記表示装置に送信し、前記アクセス情報をもとに、前記操作端末と前記表示装置が表示コンテンツの読み込みをコンテンツサーバーに指示する
ことを特徴とする画面管理システム。
【請求項４】
請求項１乃至請求項３のいずれかに記載の画面管理システムであって、
前記コンテンツサーバーは、
操作端末からの指示に従って、前記操作画面用と前記表示装置用のそれぞれのコンテンツを作成する
ことを特徴とする画面管理システム。
【請求項５】
同一コンテンツに対して複数のサイズのコンテンツを用意するステップと、
操作の入力によって特定されるコンテンツの読み込み命令を操作端末で受け付け、表示装置へ送信するステップと、
前記読み込み命令で指示されたコンテンツの操作端末に対応するサイズのコンテンツを前記マルチサイズコンテンツ準備部から読み込み、操作画面に表示するステップと、
前記読み込み命令で指示されたコンテンツの表示装置に対応するサイズのコンテンツを前記マルチサイズコンテンツ準備部から読み込み、外部画面に表示するステップと
を有することを特徴とする画面管理方法。
【発明の詳細な説明】
【技術分野】
【０００１】
本発明は、操作端末の画面と表示装置の画面を効率よく処理する技術に関する。
【背景技術】
【０００２】
大画面（表示装置）にコンテンツを表示してプレゼンテーション行う場合に、聴衆の方を向いて発表を行う為に、発表者はコンテンツの表示された大画面を見にくい位置で操作する必要がある。そこで、操作者の目の前に大画面と同等な内容を表示する操作用の操作端末の利用が提案されている。このように操作端末を利用する場合、大画面より操作端末の画面が小さいことが普通で、それぞれの画面の解像度には違いがある為、ただ操作端末の画面を大画面で表示させることは困難である。仮に操作端末の画面を大画面で表示させた場合、拡大することでぼやけた画像になってしまうことが考えられる。
【０００３】
特許文献１の発明では、表示装置で操作端末用の画像を生成し、通信手段を使って前記画像を操作端末に送信し、操作者は前記操作端末に表示された前記表示装置とから送られてきた前記画像を見ながらマウスやキーボードなどの入力装置を使って、表示装置に表示された画像を操作できる技術を提案している。
【先行技術文献】
【特許文献】
【０００４】
【特許文献１】特開２００６−２４４１３８号公報
【発明の概要】
【発明が解決しようとする課題】
【０００５】
従来の技術では、操作端末で操作を行うと、その操作の情報が大画面表示制御装置に送られ、大画面用の表示画面を表示画面生成手段で作成し、配信画面生成手段により操作端末の表示画面を作成し送信する為、操作の度に画像作成処理が行われ、操作端末に送られる。このような仕組みの場合、表示装置での画像作成処理に時間がかかってしまう問題点がある。
【課題を解決するための手段】
【０００６】
上記課題を解決する為に、本発明は、同一コンテンツに対して複数のサイズのコンテンツを用意するマルチサイズコンテンツ準備部を有するコンテンツサーバーと、操作の入力によって特定されるコンテンツの読み込み命令を表示装置へ送信する通信部を有するとともに、前記読み込み命令で指示されたコンテンツの当該操作端末に対応するサイズのコンテンツを前記マルチサイズコンテンツ準備部から読み込み、操作画面に表示する操作端末と、前記読み込み命令で指示されたコンテンツの当該表示装置に対応するサイズのコンテンツを前記マルチサイズコンテンツ準備部から読み込み、外部画面に表示する前記表示装置とを有することを特徴とする。
【発明の効果】
【０００７】
本発明によれば、操作端末と表示装置の画面を時間をかけずに処理できる。
【図面の簡単な説明】
【０００８】
【図１】画面管理システムの構成図の例である。
【図２】コンテンツの登録処理を説明するフローチャートの例である。
【図３】コンテンツの拡大縮小処理を説明するフローチャートの例である。
【図４】操作端末のコンテンツ処理を説明するフローチャートの例である。
【図５】表示装置のコンテンツ処理を説明するフローチャートの例である。
【図６】コンテンツサーバーのコンテンツ処理を説明するフローチャートの例である。
【図７】画面管理システムの通信プロトコルの例である
【図８】コンテンツアクセスＤＢの例である
【図９】選択情報ＤＢの例である。
【図１０】入力情報変換を説明する変換例である。
【発明を実施するための形態】
【０００９】
以下、実施例を図面を用いて説明する。
【００１０】
図１は、本実施形態の画面管理システムのネットワーク構成例を示す図である。図１に示すコンテンツサーバー１０１と、操作端末１０２と、表示装置１０５は、一意に識別される情報（以降、アクセスIDと称す）が割り振られ、通信手段１１５、１２１、１５１を通してアクセスIDを用いて相互に通信できるようにネットワーク１０７を介して接続されている。また、前記ネットワーク１０７を介して、前記コンテンツサーバー１０１に記録されたコンテンツデータや、前記操作端末１０２と前記表示装置１０５の装置情報（表示サイズやアクセスIDなど）や操作情報（コンテンツ読み込み命令等のコンテンツの操作の情報）等を送受信する。前記コンテンツサーバー１０１は、前記アクセスIDを用いて前記操作端末１０２と前記表示装置１０５に表示サイズを問い合わせて、前記操作端末１０２と前記表示装置１０５の表示サイズを取得し、コンテンツアクセス管理部１１４にアクセスIDと関連付けて登録する。
【００１１】
次に、前記コンテンツサーバー１０１にコンテンツを登録する場合は、コンテンツサーバーのコンテンツ登録編集部１１２は登録するコンテンツを指定し、登録したコンテンツを識別する為のユニークな名称（以降、コンテンツ名）をコンテンツアクセス管理部１１４に登録する。次に、マルチサイズコンテンツ準備部１１３は、登録指定されたコンテンツを読み出して、前記表示装置１０５の表示サイズに変換し、大画面用コンテンツとして、コンテンツ記録部１１１に前記大画面用コンテンツを識別する為のユニークな情報（名称、ＩＤ等であり以降、アクセス情報と称す）を付加して保存し、前記コンテンツアクセス管理部１１４には、前記コンテンツ名と関連付けて前記大画面用コンテンツのアクセス情報を登録する。同じ様に、登録指定されたコンテンツを読み出して、前記操作端末１０２の表示サイズに変換し、操作端末用コンテンツとして、前記コンテンツ記録部１１１にアクセス情報を付加して保存し、前記コンテンツアクセス管理部１１４には、前記コンテンツ名と関連付けて前記操作端末用コンテンツのアクセス情報を登録する。
【００１２】
また、本実施例の画面管理システムが動作を開始した場合に、前記表示装置１０５と前記操作端末１０２に最初に表示するコンテンツとして、コンテンツ名が「コンテンツ選択画面」で、前記大画面用コンテンツと前記操作画面用コンテンツの前記アクセス情報が前記コンテンツサーバー１０１に登録されているものとする。前記コンテンツ選択画面には、前記コンテンツサーバー１０１に登録されている複数のコンテンツの個々の内容を表す文字列やアイコンやコンテンツの内容を縮小したサムネール画像等であり、前記コンテンツ選択画面に特定の表示範囲を持ったオブジェクトとして複数レイアウトされている画面である。前記コンテンツサーバー１０１の通信部は、前記操作端末１０２からコンテンツ名が指定されたコンテンツ読み込み命令を受け取ると、要求元の前記操作端末１０２のアクセスＩＤから前記読み出し命令で指定されたコンテンツ名に対応する前記操作端末用コンテンツのアクセス情報を前記操作端末１０２に返信する。アクセス情報の特定の仕方詳細については後述する。
【００１３】
また、前記表示装置１０５からコンテンツ名を指定したコンテンツ読み込み命令を通信部１１５が受け取ると、要求元の前記表示装置１０５のアクセスＩＤから前記読み出し命令で指定されたコンテンツ名に対応する前記大画面用コンテンツのアクセス情報を前記表示装置１０５に返信する。
【００１４】
これによりコンテンツアクセス管理部１１４が、図８に示すコンテンツのアクセス管理を行うことにより、同じコンテンツ名の読み出し命令でも、要求元の表示サイズに合ったコンテンツのアクセス情報を得ることが出来る。前記操作端末１０２は、前記通信部１２１を通して前記コンテンツサーバー１０１へ、前記表示装置１０５のアクセスIDを問合せる。前記コンテンツサーバー１０１は、前記操作端末１０２の前記問合せに対して、前記コンテンツアクセス管理部１１４が登録されている前記表示装置１０５のアクセスIDを返信する。これにより、前記操作端末１０２は、前記表示装置１０５との通信が可能になる。
【００１５】
また、前記操作端末１０２は、操作画面１０３と前記操作画面１０３を覆うように配置されたタッチパネル１０４が接続され、前記操作画面１０３に表示された前記操作端末用コンテンツをタッチ操作すると前記タッチパネル１０４はタッチ操作の情報を、入力情報変換部１２４へ送る。前記入力情報変換部１２４は、前記タッチパネル１０４で入力されたタッチ操作の情報をコンテンツ読み込み命令等の操作情報に変換し、変換された前記操作情報は、前記コンテンツ表示部１２３と前記通信部１２１を通して前記表示装置１０５の通信部１５１に送られ、コンテンツ同期処理部１５２でコンテンツの同期処理が行われる。また、前記入力情報変換部１２４は選択情報ＤＢの表示範囲と前記タッチ操作の前記タッチ座標を比較して、該当する表示範囲がある場合は、前記操作情報として対応するコンテンツ名を指定してコンテンツ読み込み命令を、前記コンテンツサーバー１０１へ送信する。
【００１６】
前記通信部１２１で前記コンテンツアクセス管理部１１４から前記アクセス情報を受け取ると、前記アクセス情報に従って前記コンテンツ記録部１１１から前記アクセス情報で識別される前記操作端末用コンテンツを読み出して、コンテンツ表示部１２３で処理され前記操作端末用コンテンツの表示準備が行われる。コンテンツ同期処理部１２２は、前記表示装置１０５からのコンテンツの表示完了命令を受け取ると、前記コンテンツ表示部１２３にコンテンツ表示命令を発行し、操作画面１０３に前記表示準備された前記操作端末用コンテンツが表示される。前記コンテンツ表示部１２３は、前記操作情報を受け取ると、コンテンツ読み込み操作以外の場合は、前記操作情報に従ってコンテンツの表示処理を行う。
【００１７】
また、前記操作情報の中で、コンテンツ読み込み操作の場合は、前記通信部１２１を通して前記コンテンツサーバー１０１へコンテンツ読み込み命令として送信する。前記コンテンツサーバー１０１は、前記通信部１１５でコンテンツ名の指定された前記読み出し命令を受け取ると、前記コンテンツアクセス管理部１１４に送信元の前記アクセスIDと前期コンテンツ名を渡す。前記コンテンツアクセス管理部１１４は、前記アクセスIDと前期コンテンツ名で前記コンテンツアクセスＤＢを検索して、指定されたコンテンツ名に対応する前記操作端末用コンテンツのアクセス情報を前記通信部１１５を通して返信する。例えば、操作端末のアクセスＩＤとして操作００１、コンテンツ名としてコンテンツ１である場合、これをコンテンツアクセスＤＢに照合して操作端末コン１というアクセス情報を特定する。ここで特定されたアクセス情報は、操作端末のコンテンツ１用のコンテンツを特定する情報である。
【００１８】
前記表示装置１０５は、大画面１０６が接続され、前記通信部１５１で前記前記操作端末１０２からの前記操作情報を受け取ると、前記コンテンツ表示部１５３は、前記操作情報に従ってコンテンツの表示処理を行う。また、前記操作情報が、コンテンツ読み込み操作情報の場合は、前記通信部１５１を通して前記コンテンツサーバー１０１へ前記コンテンツ読み込み操作情報に指定されたコンテンツ名を指定してコンテンツ読み込み命令として送信する。前記コンテンツサーバー１０１は、前記通信部１１５でコンテンツ名を指定された前記読み出し命令を受け取ると、前記コンテンツアクセス管理部１１４に送信元の前記アクセスIDと前期コンテンツ名を渡す。前記コンテンツアクセス管理部１１４は、前記アクセスIDと前期コンテンツ名で前記コンテンツアクセスＤＢを検索して、指定されたコンテンツ名に対応する前記大画面用コンテンツのアクセス情報を前記通信部１１５を通して返信する。
【００１９】
前記通信部１５１で前記コンテンツアクセス管理部１１４から前記アクセス情報を受け取ると、前記アクセス情報に従って前記コンテンツ記録部１１１から前記大画面用コンテンツを読み出して、コンテンツ表示部１５３で表示処理され前記大画面１０６に表示される。前記アクセス情報の具体的な例は、前記コンテンツ記録部１１１に記録されているファイル名で、本実施例では前記コンテンツ記録部１１１に記録されているコンテンツデータをファイル名を指定して、前記大画面用コンテンツとして読み出す。
【００２０】
コンテンツ同期処理部１５２は、前記コンテンツ表示部１５３でコンテンツが表示されて時点で、前記通信部１５１を通して、前記操作端末１０２にコンテンツの表示完了命令を送信する。前記ネットワーク１０７に接続された前記コンテンツサーバー１０１と、前記操作端末１０２と、前記表示装置１０５が、上記に説明した動作を行うことにより、前記操作画面１０３に表示された前記操作端末用コンテンツを前記タッチパネル１０４で拡大や縮小等のタッチ操作を行うと、前記コンテンツ表示部１５３でコンテンツの拡大や縮小処理を行い表示の準備を行う。同時に、拡大や縮小等の操作情報が前記表示装置１０５へ送信され、前記大画面１０６に表示された前記大画面用コンテンツが拡大縮小等の表示処理がされる。この場合、前記大画面用コンテンツの拡大縮小等の表示処理が完了する度に前記操作端末１０２に表示完了命令が送られ、前記表示完了命令を受け取ると前記コンテンツ表示部１５３で表示準備していたコンテンツを表示する。これにより、前記大画面用コンテンツの拡大縮小等の表示に同期して、前記操作画面１０３に表示された前記操作端末用コンテンツも拡大縮小等の表示が行われる。
【００２１】
また、操作情報がコンテンツの読み込み操作の場合は、前記操作端末１０２と前記表示装置１０５の両方から、前記コンテンツサーバー１０１へコンテンツ読み込み命令が送信され、前記コンテンツサーバー１０１は、前記読み出し命令を受け取ると、前記読み出し命令の要求元のアクセスIDに従って、指定されたコンテンツ名に対応する前記操作端末用コンテンツと前記大画面用コンテンツのアクセス情報を、前記操作端末１０２と前記表示装置１０５に返信する。前記操作端末１０２は、前記操作端末用コンテンツのアクセス情報に従って、前記操作端末用コンテンツを読み出して表示準備を行う。前記表示装置１０５は、前記前記大画面用コンテンツのアクセス情報に従って、前記大画面用コンテンツを読み出して表示する。さらに、前記表示装置１０５は、前記大画面用コンテンツの表示が完了すると前記操作端末１０２に表示完了命令が送られる。これにより、前記大画面用コンテンツの表示に同期して、前記操作画面１０３に前記操作端末用コンテンツが表示される。
【００２２】
図２はコンテンツをコンテンツサーバー１０１へ登録する場合の処理のフローチャートである詳細は後述する。
【００２３】
図３はコンテンツを登録する場合のコンテンツの拡大縮小についての処理のフローチャートである詳細は後述する。
【００２４】
図４は操作端末で操作をした場合の処理のフローチャートである詳細は後述する。
【００２５】
図５は、操作端末で操作された場合の、表示装置でのコンテンツの表示処理についてのフローチャートである。詳細は後述する。
【００２６】
図６は、コンテンツサーバーが操作端末や表示装置から操作情報やデータアクセスを受けとった場合の処理の詳細についてのフローチャートである。詳細は後述する。
【００２７】
図７は、本実施形態のネットワーク１０７に接続された前記コンテンツサーバー１０１と前記表示装置１０５と前記操作端末１０２の間の通信手順の時間的な流れの例を示す図である。ここでは、前記操作端末１０２でコンテンツ読み込み操作を行った場合とコンテンツ操作を行った場合の前記通信手順と時間経過について主に説明する。本実施例では操作端末でユーザの操作の入力を受け付け、ユーザ入力からコンテンツの操作を特定する。
【００２８】
図７の前記操作端末１０２と前記表示装置１０５とコンテンツサーバー１０１から下に伸びている経過時間線ＣＴ、ＢＴ、ＳＴは、矢印の方向に時間が経過している様子を示している。また、前記経過時間線から横に伸びている矢印（以降、通信線と称す）は、始点位置の装置と時間で情報を送信し、矢印の位置の装置と時間に情報が着信している様子を示している。例えば、前記操作端末１０２からのコンテンツ読み込み命令が前記表示装置１０５で着信している様子は、通信線ＣＬ１で示される。また、図７中の経過時間軸上の四角は、コンテンツの読み込みや表示の処理時間を示している
前記操作端末１０２でコンテンツ読み込み操作を行った場合の通信手順は、まず始めに、前記操作端末１０２の通信部１２１がコンテンツ読み込み命令を、前記表示装置１０５と前記コンテンツサーバー１０１に送信する(通信線ＣＬ１、ＣＬ２）。前記表示装置１０５の通信部１５１は、コンテンツ読み込み命令を受信すると、前記コンテンツサーバー１０１へコンテンツ読み込み命令を送信する（通信線ＢＬ１）。前記コンテンツサーバー１０１は、前記操作端末１０２がコンテンツ読み込み命令(通信線ＣＬ１）を受け取ると、通信元のアクセスＩＤに対応する操作端末用コンテンツのアクセス情報を、コンテンツアクセス管理部１１４で特定して、通信元の前記操作端末１０２へ返信する（通信線ＳＡ１）。前記コンテンツサーバー１０１は、前記表示装置１０５がコンテンツ読み込み命令(通信線ＣＬ２）を受け取ると、通信元のアクセスＩＤに対応する大画面用コンテンツのアクセス情報を、通信元の前記表示装置１０５へ返信する（通信線ＳＡ２）。
【００２９】
前記操作端末１０２がアクセス情報を受け取ると、受け取ったアクセス情報にした従って、前記コンテンツサーバー１０１のコンテンツ記録部１１１にアクセスして(通信線ＣＡ１）、コンテンツ記録部１１１からコンテンツを読み込み（通信線ＳＬ１）、表示処置を行い、表示の準備を行う。前記表示装置１０５がアクセス情報を受け取ると、受け取ったアクセス情報にした従って、前記コンテンツサーバー１０１のコンテンツ記録部１１１にアクセスして(通信線ＢＡ１）、コンテンツ記録部１１１からコンテンツを読み込み（通信線ＳＬ２）、表示処置を行い、表示する。ここでは、コンテンツの読み込み命令と、アクセスＩＤからアクセス情報を特定し、特定されたアクセス情報を一度、画面装置、操作端末へそれぞれ返してから、そのかえされたアクセス情報のコンテンツの場所を示す情報を基に、画面装置、操作端末はコンテンツを読み出し処理をしているが、これに限定されるものではなく、例えば、アクセス情報が特定されてから、アクセス情報を基にコンテンツを検索して、コンテンツを画面装置、操作端末のそれぞれに返すように制御してもよい。
【００３０】
さらに、前記表示装置１０５で表示が完了すると、表示完了命令を前記操作端末１０２へ送信する（通信線ＢＣ１）。前記操作端末１０２は、表示完了命令を受け取ると、コンテンツ同期処理部１２２は、コンテンツ表示部１２３へ表示の準備していたコンテンツを表示する指示を出してコンテンツを表示する。操作端末では操作情報、ここではコンテンツの読み込みを指示されると、その操作情報を表示装置へ送信する一方、コンテンツ表示部１２２は、読み込み処理をして処理を完成させ画面表示する前まで処理を進める。表示装置は操作情報を受け取り、それに基づき、コンテンツの読み込み操作を完了してコンテンツ表示部１５３で画面表示させてから、コンテンツ同期処理部１５２により、表示完了命令を操作端末におくり、表示完了命令を受け取った操作端末は画面表示処理に移る。そのことにより表示装置、操作端末の画面表示のタイミングをそろえ、同期させることができる。
【００３１】
次に前記操作端末１０２でコンテンツ操作を行った場合の通信手順は、まず始めに、前記操作端末１０２の通信部１２１がコンテンツ操作命令を、前記表示装置１０５に送信する(通信線ＣＯ１）、と同時にコンテンツ表示部１２３が前記操作端末１０２が表示している操作端末用コンテンツに対してコンテンツ操作命令に対応した表示処置を行い、表示の準備を行う。前記表示装置１０５のコンテンツ表示部１５３は、コンテンツ操作命令を受信すると、コンテンツ操作命令に対応した表示処置を行い、表示する。さらに、前記表示装置１０５で表示が完了すると、コンテンツ同期処理部１５２は、表示完了命令を前記操作端末１０２へ送信する（通信線ＢＤ１）。前記操作端末１０２のコンテンツ同期処理部１２２は、表示完了命令を受け取ると、表示の準備していたコンテンツを表示するようコンテンツ表示部１２３に指示して画面を表示させる。
【００３２】
前記コンテンツサーバー１０１と前記表示装置１０５と前記操作端末１０２の間で上記の通信手順で通信を行うことで、前記操作端末１０２でコンテンツ読み込み操作やコンテンツ操作と同期して前記表示装置１０５にコンテンツが表示される。
【００３３】
上記通信手順を行うことにより通信量が少なく処理に時間の掛からない前記表示完了命令で、前記表示装置１０５と前記操作端末１０２の表示の同期を行うことにより、本来なら前記表示装置１０５と前記操作端末１０２で処理時間の大きく異なる表示処理の同期ズレを最小限にすることができる。
【００３４】
図８にコンテンツアクセス管理部１１４で管理されている前記コンテンツ名と前記アクセス情報の対応関係を示すコンテンツアクセスＤＢの例を示す。コンテンツアクセスＤＢには、アクセスＩＤ毎（操作端末のアクセスＩＤと、表示装置のアクセスＩＤ）の各コンテンツに対応するアクセス情報が記憶されている。これにより、前記コンテンツ名と前記アクセスＩＤが指定されると対応するアクセス情報が一意に決定する。
【００３５】
図９は、前記レイアウトされたオブジェクトの表示範囲とコンテンツ名の関係を示す選択情報ＤＢの例である。操作端末、表示装置のそれぞれの画面の範囲に対応するコンテンツ名を記憶している。ユーザからタッチパネルやマウスから入力のあった場合、入力のあった範囲を選択情報ＤＢに照合して範囲に対応するコンテンツ名を特定することで、何のコンテンツが選択されたかを識別する。
【００３６】
また、本実施例では、表示範囲と選択範囲は同じ範囲としている。さらに、コンテンツの表示が終了した場合やコンテンツの終了操作を行った場合は、前記コンテンツ選択画面の読み出し命令が前記操作端末１０２から、前記コンテンツサーバー１０１に送られ、最終的に前記表示装置１０５と前記操作端末１０２にコンテンツ選択画面が表示されるものとする。
【００３７】
例えば、入力情報変換部１２４は、前記操作端末１０２に表示された前記コンテンツ選択画面をタッチパネルなどの入力デバイスでタッチするとタッチされた入力座標（以降、タッチ座標と称す）で、前期レイアウトされた複数のオブジェクトのどの表示範囲に含まれるか選択情報ＤＢの操作画面用コンテンツ選択画面の各操作画面表示範囲を検索し、前記検索で該当するオブジェクトが見つかれば選択情報ＤＢからタッチ座標に対応するコンテンツ名を取得することができる。これにより前記操作端末１０２に表示された前記コンテンツ選択画面上の前期オブジェクトを前記タッチパネルなどで選択することにより、前記コンテンツ選択画面上の該当する前記オブジェクトのコンテンツ名を取得し、前記コンテンツサーバー１０１にコンテンツ名を指定して読み出し命令を送ることができる。図９では画面の座標範囲をそれぞれ記憶しており、操作端末のタッチ座標が（２０、１５）つまり、画面の横方向に２０、縦方向に１５の地点だった場合、その地点の範囲にあるのは、選択情報ＤＢの値は左上の地点から右下の地点を表すことで画面の範囲を設定してあるので、操作端末用コンテンツ選択画面が（０、１０、５０、２０）である、コンテンツ名を検索して、コンテンツ１が指定されたことが分かる。続いて、図２から図６のフローに沿って処理の詳細を説明する。
【００３８】
図２は、本実施形態でコンテンツを登録する場合の前記コンテンツサーバー１０１の動作を説明する処理フローの例を示す図である。コンテンツの登録をスタートすると、コンテンツ登録編集部１１２は登録するコンテンツを選択する登録コンテンツ選択画面を表示する（ステップＳ２０１）。操作者は、登録コンテンツ選択画面（ステップＳ２０１）に表示されたコンテンツリストからコンテンツを選択すると、選択したコンテンツのコンテンツ名を前記コンテンツアクセス管理部１１４に登録する。ここで、前記コンテンツリストに表示されるコンテンツの例として、前記コンテンツサーバー１０１に接続されたメディアに記録された静止画や動画やWebページ（HTML）などのファイル名で、前記ファイル名を一覧表示して選択する。
【００３９】
次に、登録コンテンツが選択されると、テキスト最小サイズ設定画面を表示して、テキスト最小サイズを設定する。（ステップＳ２０２）ここで、前記登録コンテンツを前記操作端末１０２や前記表示装置１０５の表示サイズに変換する為に表示サイズの縮小が行われると、縮小したコンテンツ内にテキストがある場合は、テキストの判読が悪くなったり、最悪読めなくなってしまう場合がある。そこで、テキストを縮小した場合に判読できる最小のテキストサイズを前記テキスト最小サイズとして設定し、テキストの記述されたコンテンツを縮小した場合に、前記テキスト最小サイズよりもテキストが縮小されない処理を行い、テキストの記述されたコンテンツを縮小した場合でもテキストの判読が出来るようにする。また、前記テキスト最小サイズは、一文字分のポイント数や画素数を設定する。
【００４０】
次に、登録コンテンツ選択画面で選択されたコンテンツを読み出す。（ステップＳ２０３）読み出されたコンテンツデータを解析して、画面に表示される全てのテキストを抽出し、テキスト表示領域（テキストの表示位置とサイズ）を記録する。（ステップＳ２０４）次に、前記コンテンツアクセス管理部１１４に登録されている前記表示装置１０５の表示サイズと、前記コンテンツデータと、抽出されたテキスト表示領域と、前記テキスト最小サイズを前記マルチサイズコンテンツ準備部１１３に指定して、前記表示装置１０５で表示する前記大画面用コンテンツを、前記マルチサイズコンテンツ準備部１１３のコンテンツ拡大縮小処理で作成する。（ステップＳ２０５）
図３は、前記マルチサイズコンテンツ準備部１１３のコンテンツ拡大縮小処理の動作を説明する処理フローの例を示す図である。コンテンツ拡大縮小処理は、前記表示装置１０５の表示サイズと、前記コンテンツデータと、前記テキスト抽出され記録されたテキスト表示領域と、前記テキスト最小サイズが設定されて呼び出される。（ステップＳ３０１）
前記コンテンツ拡大縮小処理（ステップＳ３０１）が処理を開始すると、前記表示装置１０５の表示サイズに、前記コンテンツデータを拡大縮小する。（ステップＳ３０２）この場合、同時に前記抽出されたテキスト表示領域も拡大縮小する。
【００４１】
次に、前記コンテンツデータが縮小されたかどうかを判定して、前記コンテンツデータが縮小されていない場合は（ステップＳ３０３：いいえ）、拡大縮小したコンテンツデータを大画面用コンテンツとして、前記コンテンツ記録部１１１に前記大画面用コンテンツアクセス情報を付加して保存し、アクセス情報を呼び出し元に返して（ステップＳ３１１）、本処理を終了する。前記コンテンツデータが縮小された場合は（ステップＳ３０３：はい）、次の判定を行う。
【００４２】
次に、前記コンテンツデータにテキスト表示領域が記録されていない場合（ステップＳ３０４：いいえ）、処理（ステップＳ３１１）を行い終了する。前記コンテンツデータにテキスト表示領域が記録されている場合は（ステップＳ３０４：はい）、次の処理を行う。
【００４３】
次に、縮小したテキスト表示領域と、テキストをテキスト最小サイズで表示するために必要な最小領域のサイズを比較して（ステップＳ３０５）、次の判定を行う。ここで、前記最小領域は、前記テキスト表示領域のテキストの行数と全ての行の中で最大の文字数とテキスト最小サイズから計算して求める。例えば、テキストの行数がCL行で、CL行の中で最大の文字数がLC文字で、テキスト最小サイズが画素数で指定されていて、縦の画素数VPで横の画素数HPの場合は、以下の式で求めることが出来る。
【００４４】
最小領域の縦サイズVS＝CLｘVP
最小領域の横サイズHS＝LCｘHP
ここで、前記テキスト表示領域のテキストの行数が１０行で、１０行の中で最大の文字数が２０文字で、テキスト最小サイズの縦の画素数が１０画素で横の画素数が１０画素の場合の最小領域の縦サイズは１００画素で、最小領域の縦サイズは２００画素になる。
【００４５】
次に、最小領域のサイズと表示領域のサイズを比較して、表示領域のサイズの方が大きい場合は（ステップＳ３０６：いいえ）、全ての前記テキスト表示領域を判定したかを判定する。（ステップＳ３０８）表示領域のサイズの方が小さい場合は（ステップＳ３０６：はい）、前記テキスト最小サイズよりのテキストを小さく縮小してしまっているので、表示領域のサイズを最小領域のサイズに拡大して（ステップＳ３０７）、前記表示領域のテキストを前記テキスト最小サイズより小さくならないようにする。
【００４６】
次に、全ての前記テキスト表示領域を判定したかを判定して（ステップＳ３０８）、全ての前記テキスト表示領域を判定していない場合は（ステップＳ３０８：はい）、処理（ステップＳ３０５）に戻って残りの前記テキスト表示領域の前記テキスト最小サイズの判定を行う。全ての前記テキスト表示領域を判定した場合は（ステップＳ３０８：いいえ）、次の判定を行う。
【００４７】
次に、処理（ステップＳ３０７）のテキストの拡大処理を行ったか判定し（ステップＳ３０９）、処理（ステップＳ３０７）を一度も実行していない場合は（ステップＳ３０９：いいえ）、処理（ステップＳ３１１）を行い終了する。すなわち、全ての前記テキスト表示領域が前記テキスト最小サイズより小さくならなかった場合である。処理（ステップＳ３０７）を実行していた場合は（ステップＳ３０９：はい）、次の処理を行う。
【００４８】
次に、前記テキスト最小サイズより小さくなる前記テキスト表示領域があり、前記テキスト最小サイズの制限でテキスト部分が拡大されたことにより、縮小後のコンテンツの表示レイアウトが変わってしまっている場合に実行される処理で、コンテンツの内容を確認して修正する為の確認編集画面を表示する。（ステップＳ３１０）確認編集画面は、縮小後のコンテンツデータを表示する。また、縮小拡大された前記テキスト表示領域に編集用の枠などを付けて表示する。コンテンツ編集者は、前記テキスト表示領域のテキストやレイアウトや大きさを編集して、テキストを見やすくする。編集が完了したら編集したコンテンツを前記コンテンツ記録部１１１にテキスト最小サイズや抽出したテキスト情報やテキストの表示領域等の情報を付加して記録し、確認編集画面を終了し、処理（ステップＳ３１１）を行い終了する。
【００４９】
以上の動作を前記コンテンツ拡大縮小処理（ステップＳ３０１）が行うことにより、縮小処理によりテキストの判読が悪くなったり、判読できなくなってしまう可能性を、前記テキスト最小サイズを設定することで自動判別する。さらに、判読性の悪くなったテキストの編集操作を行うことで判読可能にすることが出来る。次に、図２に戻って、動作の続きの説明を行う。処理（ステップＳ２０５）から呼び出した処理（ステップＳ３０１）が終了すると、前記大画面用コンテンツが前記コンテンツ記録部１１１に記録され、前記大画面用コンテンツのアクセス情報が取得できる。取得した前記アクセス情報を前記コンテンツ名と関連付けて前記大画面用コンテンツのアクセス情報として、前記コンテンツアクセス管理部１１４に登録する。（ステップＳ２０６）
次に、前記コンテンツアクセス管理部１１４に登録されている前記操作端末１０２の表示サイズと、前記コンテンツデータと、抽出されたテキスト表示領域と、前記テキスト最小サイズを前記マルチサイズコンテンツ準備部１１３に指定して、前記操作端末１０２で表示する前記操作端末用コンテンツを、前記マルチサイズコンテンツ準備部１１３の前記コンテンツ拡大縮小処理で作成する。（ステップＳ２０７）
次に、図３で処理（ステップＳ２０７）で呼び出されるコンテンツ拡大縮小処理の動作を説明する。コンテンツ拡大縮小処理は、前記操作端末１０２の表示サイズと、前記コンテンツデータと、前記テキスト抽出され記録されたテキスト表示領域と、前記テキスト最小サイズが設定されて呼び出される。（ステップＳ３０１）前記コンテンツ拡大縮小処理（ステップＳ３０１）が処理を開始すると、前記操作端末１０２の表示サイズに、前記コンテンツデータを拡大縮小する。（ステップＳ３０２）この場合、同時に前記抽出されたテキスト表示領域も拡大縮小する。
【００５０】
次に、前記コンテンツデータが縮小されたかどうかを判定して、前記コンテンツデータが縮小されていない場合は（ステップＳ３０３：いいえ）、拡大縮小したコンテンツデータを操作端末用コンテンツとして、前記コンテンツ記録部１１１に前記操作端末用コンテンツのアクセス情報を付加して保存し、アクセス情報を呼び出し元に返して（ステップＳ３１１）、本処理を終了する。前記コンテンツデータが縮小された場合は（ステップＳ３０３：はい）、次の判定を行う。次に、前記コンテンツデータにテキスト表示領域が記録されていない場合（ステップＳ３０４：いいえ）、処理（ステップＳ３１１）を行い終了する。前記コンテンツデータにテキスト表示領域が記録されている場合は（ステップＳ３０４：はい）、次の処理を行う。
【００５１】
次に、縮小したテキスト表示領域と、テキストをテキスト最小サイズで表示するために必要な最小領域のサイズを比較して（ステップＳ３０５）、次の判定を行う。次に、最小領域のサイズと表示領域のサイズを比較して、表示領域のサイズの方が大きい場合は（ステップＳ３０６：いいえ）、全ての前記テキスト表示領域を判定したかを判定する。（ステップＳ３０８）表示領域のサイズの方が小さい場合は（ステップＳ３０６：はい）、前記テキスト最小サイズよりのテキストを小さく縮小してしまっているので、表示領域のサイズを最小領域のサイズに拡大して（ステップＳ３０７）、前記表示領域のテキストを前記テキスト最小サイズより小さくならないようにする。
【００５２】
次に、全ての前記テキスト表示領域を判定したかを判定して（ステップＳ３０８）、全ての前記テキスト表示領域を判定していない場合は（ステップＳ３０８：はい）、処理（ステップＳ３０５）に戻って残りの前記テキスト表示領域の前記テキスト最小サイズの判定を行う。全ての前記テキスト表示領域を判定した場合は（ステップＳ３０８：いいえ）、次の判定を行う。次に、処理（ステップＳ３０７）のテキストの拡大処理を行ったか判定し（ステップＳ３０９）、処理（ステップＳ３０７）を一度も実行していない場合は（ステップＳ３０９：いいえ）、処理（ステップＳ３１１）を行い終了する。すなわち、全ての前記テキスト表示領域が前記テキスト最小サイズより小さくならなかった場合である。処理（ステップＳ３０７）を実行していた場合は（ステップＳ３０９：はい）、次の処理を行う。
【００５３】
次に、縮小後のコンテンツデータを表示する前記確認編集画面を表示する。（ステップＳ３１０）コンテンツ編集者は、前記編集枠を操作して前記テキスト表示領域のテキストの編集やレイアウトの編集を行い、見やすくする。編集が完了したら編集したコンテンツを前記コンテンツ記録部１１１にテキスト最小サイズや抽出したテキスト情報やテキストの表示領域等の情報を付加して記録し、確認編集画面を終了し、処理（ステップＳ３１１）を行い終了する。
【００５４】
次に、図２に戻って、動作の続きの説明を行う。処理（ステップＳ２０７）から呼び出した処理（ステップＳ３０１）が終了すると、前記操作端末用コンテンツが前記コンテンツ記録部１１１に記録され、前記操作端末用コンテンツのアクセス情報が取得できる。取得した前記アクセス情報を前記コンテンツ名と関連付けて前記操作端末用コンテンツのアクセス情報として、前記コンテンツアクセス管理部１１４に登録する。（ステップＳ２０８）
以上の動作を前記コンテンツサーバー１０１が行うことで、操作者が選択したコンテンツを登録して、前記表示装置１０５と前記操作端末１０２の表示サイズに最適化したコンテンツを準備することが出来る。
【００５５】
図４は、前記操作端末１０２でのコンテンツの表示と操作の処理フローの例を示す図である。以降の説明では、前記コンテンツサーバー１０１に前記表示装置１０５と前記操作端末１０２に表示するコンテンツが、図８の例で示したように登録されているものとして説明する。前記操作端末１０２で処理をスタートすると、表示するコンテンツ名にコンテンツ選択画面を指定して、コンテンツ表示処理を行う。（ステップＳ４０１）ここで、前記コンテンツ選択画面は、前記操作端末１０２に最初に表示されるコンテンツとする。
【００５６】
次に、前記操作端末１０２は前記コンテンツ名にコンテンツ選択画面を指定して、前記コンテンツサーバー１０１と前記表示装置１０５の両方に前記操作情報として前記コンテンツ名を指定してコンテンツ読み込み命令を送信する。（ステップＳ４０２）前記コンテンツ読み込み命令を前記コンテンツサーバー１０１に送信すると、前記コンテンツサーバー１０１で前記コンテンツ読み込み命令が処理されて、結果としてアクセス情報が返信される。
【００５７】
次に、前記通信部１２１は受信される命令を、前記コンテンツ同期処理部１２２で確認して（ステップＳ４０３）、以下の判定を行う。前記通信部１２１で、前記コンテンツサーバー１０１から送信されたアクセス情報を受信している場合は（ステップＳ４０４：はい）、アクセス情報で特定されるコンテンツをコンテンツサーバー１０１から読み込み、前記コンテンツ表示部１２３で表示処理を行い表示準備を行う。（ステップＳ４０５）アクセス情報を受信していない場合は（ステップＳ４０４：いいえ）、次の判定を行う。前記通信部１２１で、表示完了命令を受信している場合は（ステップＳ４０６：はい）、前記コンテンツ表示部１２３で表示準備したコンテンツを表示する。（ステップＳ４０７）表示完了命令を受信していない場合は（ステップＳ４０６：いいえ）、次の処理を行う。
【００５８】
次に、前記入力情報変換部１２４の操作情報を確認して（ステップＳ４０８）、以下の判定を行う。前記入力情報変換部１２４で、読み込みを指示する操作情報がある場合は（ステップＳ４０９：はい）、読み込み指示されたコンテンツ名を指定して、コンテンツ表示処理を行う。（ステップＳ４０１）読み込み指示の操作情報が無い場合は（ステップＳ４０９：いいえ）、次の判定を行う。前記入力情報変換部１２４で、コンテンツ操作を指示する操作情報がある場合は（ステップＳ４１０：はい）、前記表示装置１０５へ前記操作情報を送信する。（ステップＳ４１１）次に、操作情報に従って前記コンテンツ表示部１２３でコンテンツの操作処理を行い表示準備を行う。（ステップＳ４１２）コンテンツ操作を指示する操作情報が無い場合は（ステップＳ４１０：いいえ）、次の判定を行う。前記入力情報変換部１２４で、終了指示する操作情報がある場合は（ステップＳ４１３：はい）、前記操作端末１０２の終了処理を行う。（ステップＳ４１４）終了指示する操作情報が無い場合は（ステップＳ４１３：いいえ）、処理（ステップＳ４０３）に戻って処理を続ける。
【００５９】
ここで終了処理は、前記操作端末１０２に現在表示されているコンテンツがコンテンツ選択画面で無い場合は、コンテンツ名にコンテンツ選択画面を指定して前記操作情報として読み込み命令を、前記コンテンツサーバー１０１と前記表示装置１０５の両方に送信し、最終的にコンテンツ選択画面を前記操作端末１０２と前記表示装置１０５に表示する。また、現在表示されているコンテンツがコンテンツ選択画面の場合は、前記操作端末１０２のコンテンツ表示を終了する。
【００６０】
図５は、前記表示装置１０５でのコンテンツの表示と操作の処理フローの例を示す図である。前記表示装置１０５で処理をスタートすると、前記通信部１５１で受信される前記操作端末１０２からの操作情報や前記コンテンツサーバー１０１からのアクセス情報を、前記コンテンツ同期処理部１５２で確認して（ステップＳ５０１）、以下の判定を行う。
【００６１】
前記通信部１５１で、アクセス情報を受信している場合は（ステップＳ５０２：はい）、アクセス情報で特定されるコンテンツをコンテンツサーバー１０１から読み込み、前記コンテンツ表示部１５３で表示処理を行い表示する。（ステップＳ４０５）次に、コンテンツの表示が完了したら、前記操作端末１０２へ表示完了命令を送信する。（ステップＳ５０４）アクセス情報を受信していない場合は（ステップＳ５０２：いいえ）、次の判定を行う。
【００６２】
前記通信部１５１で、操作情報を受信している場合は（ステップＳ５０５：はい）、操作情報に従って前記コンテンツ表示部１５３でコンテンツの操作処理を行い表示する。（ステップＳ５０６）次に、コンテンツの表示が完了したら、前記操作端末１０２へ表示完了命令を送信する。（ステップＳ５０４）操作情報を受信していない場合は（ステップＳ５０５：いいえ）、次の判定を行う。
【００６３】
前記通信部１５１で、コンテンツ読み込み命令を受信している場合は（ステップＳ５０７：はい）、読み込み指示されたコンテンツ名を指定して、コンテンツサーバー１０１へ コンテンツ読み込み命令を送信する。（ステップＳ５０８）コンテンツ読み込み命令を受信していない場合は（ステップＳ５０７：いいえ）、処理（ステップＳ５０１）に戻って処理を続ける。
【００６４】
図６は、前記コンテンツサーバー１０１の前記通信部１１５で受信した前記操作端末１０２や前記表示装置１０５からの操作情報やデータアクセスの処理フローの例を示す図である。図６の処理フローの大まかな動作は、前記操作端末１０２や前記表示装置１０５からのコンテンツ名を指定した操作情報として送られるコンテンツ読み込み命令を受け取ると、コンテンツアクセス管理部１１４で処理して、送信元へアクセス情報を返信する。また、前記操作端末１０２や前記表示装置１０５からのデータアクセスを受け取ると、コンテンツ記録部は指定されたアクセス情報のコンテンツデータを送信元へ送信する。以下に、処理フローの内容を詳細に説明する
前記コンテンツサーバー１０１で処理をスタートすると、前記通信部１１５で受信される命令を、前記コンテンツアクセス管理部１１４で確認して（ステップＳ６０１）、以下の判定を行う。前記通信部１１５で、前記操作端末１０２や前記表示装置１０５からのデータアクセスを受信している場合は（ステップＳ６０２：はい）、指定されたアクセス情報のコンテンツを読み出して、データアクセス要求元へデータアクセス手順に従って、前記読み出したデータを送信する。（ステップＳ６０３）データアクセスを受信していない場合は（ステップＳ６０２：いいえ）、次の判定を行う。
【００６５】
前記通信部１１５で、前記操作端末１０２や前記表示装置１０５からの前記操作情報としての読み込み命令を受信している場合は（ステップＳ６０４：はい）、読み込み命令の送信元のアクセスIDと、読み込み命令で指定されたコンテンツ名を、前記コンテンツアクセス管理部１１４に渡す。前記コンテンツアクセス管理部１１４は前記コンテンツアクセスＤＢをアクセスIDとコンテンツ名で検索して、前記検索により検索されたアクセス情報を要求元へ返信する。（ステップＳ６０５）読み込み命令を受信していない場合は（ステップＳ６０４：いいえ）、処理（ステップＳ６０１）に戻って処理を続ける。
【００６６】
図１０は、前記入力情報変換部１２４の入力手段に図示しないマウスを使用した場合と前記タッチパネル１０４を使用した場合の入力操作とコンテンツの操作命令との変換の対応の例を示す図である。
【００６７】
ここで、前記入力情報変換部１２４は前記マウスや前記タッチパネル１０４の操作を判別して、コンテンツの読み込み操作、移動操作、拡大操作、縮小操作の４種類の操作に変換するものとする。また、前記マウスの左ボタンクリックはコンテンツの読み込み操作で、前記マウスの右ボタンをクリックしたままの移動はコンテンツの移動操作で、前記マウスのホイールの上回転と下回転は、コンテンツの拡大操作と縮小操作に対応するものとする。さらに、前記タッチパネル１０４のタッチ操作はコンテンツの読み込み操作で、前記タッチパネル１０４でタッチしたままの移動はコンテンツの移動操作で、前記タッチパネルを２本指でタッチしたまま指の間隔を広げる操作はコンテンツの拡大操作で、前記タッチパネルを２本指でタッチしたまま指の間隔を狭くする操作はコンテンツの縮小操作に対応するものとする。図１０は、前記マウスと前記タッチパネル１０４の各操作と変換後の４種類の操作の対応関係（以降、入力変換表と称す）を示す一例である。
【００６８】
また、前記操作端末１０２に表示されているコンテンツにはボタンや文字や画像などのオブジェクが表示されており、前記オブジェクトの表示範囲を前記マウスで左ボタンクリック、又は、前記タッチパネル１０４でタッチすると入力座標が確定し、入力座標と表示範囲を比較して、表示範囲に入力座標が含まれているとオブジェクトに関連付けられているコンテンツの読み込み操作に変換されるものとする。
【００６９】
次に前記マウスや前記タッチパネル１０４を操作した場合の動作を説明する。前記マウスでコンテンツのオブジェクトの表示範囲を左ボタンクリックすると、前記入力情報変換部１２４はコンテンツ読み出し操作に変換する。また、前記タッチパネル１０４でコンテンツのオブジェクトの表示範囲をタッチすると、前記入力情報変換部１２４はコンテンツ読み出し操作に変換する。
【００７０】
マウスの右ボタンをクリックしたまま移動すると、前記入力情報変換部１２４は移動操作に変換する。また、前記タッチパネル１０４で画面をタッチしたまま移動すると、前記入力情報変換部１２４は移動操作に変換する。マウスのホイールを上回転させると、前記入力情報変換部１２４は拡大操作に変換する。また、前記タッチパネル１０４で画面を２本指でタッチしたまま指の間隔を広げると、前記入力情報変換部１２４は拡大操作に変換する。マウスのホイールを下回転させると、前記入力情報変換部１２４は縮小操作に変換する。また、前記タッチパネル１０４で画面を２本指でタッチしたまま指の間隔を狭くすると、前記入力情報変換部１２４は縮小操作に変換する。
【００７１】
以上の変換動作を前記入力情報変換部１２４が前記入力変換表にしたがって行うことにより、前記操作端末１０２に表示されたコンテンツを前記マウスや前記タッチパネル１０４で同じように操作することができる。また、他の入力デバイスの仕様に合わせて前記入力変換表を作成することで、他の入力デバイスでも同じ様な操作を行うことができる。
【００７２】
本実施例では、前記操作端末１０２や前記表示装置１０５から読み込み命令を、前記コンテンツサーバー１０１に送信し、前記コンテンツサーバー１０１から返信されるアクセス情報を取得した後、再度前記コンテンツサーバー１０１にアクセス情報で実際に表示するコンテンツを読み出して表示しているが、このアクセス情報を取得する処理を省略して、前記読み込み命令に対して、前記コンテンツサーバー１０１が前記コンテンツアクセス管理部１１４に登録されているアクセス情報を使って、要求元に直接実際に表示するコンテンツを送信しても良い。
【００７３】
また、本実施例では、前記操作端末１０２を１台だけ前記ネットワーク１０７に接続した形態を説明しているが、前記ネットワーク１０７に複数の操作端末を接続する形態をとっても良い。この場合、新たに追加する操作端末を前記ネットワーク１０７に接続し、前記コンテンツサーバー１０１の前記コンテンツアクセス管理部１１４に新たに追加する操作端末のアクセスIDを登録する。この場合、新たに追加する操作端末の表示サイズが他の操作端末と違う場合は、前記マルチサイズコンテンツ準備部１１３で新たに追加する操作端末用のコンテンツを作成し、コンテンツ記録部１１１に記録し、アクセス情報を前記コンテンツアクセス管理部１１４に登録する。また、前記操作端末１０２が送信していたコンテンツ読み込み命令と操作情報を新たに追加する操作端末にも送信する。さらに、前記表示装置１０５が送信していた表示完了命令も新たに追加する操作端末にも送信する。これにより前記表示装置１０５と前記ネットワーク１０７に接続された全ての操作端末の表示画面が同期して操作できるようになる。
【００７４】
また、本実施例では、前記マルチサイズコンテンツ準備部１１３で前記ネットワーク１０７に接続された表示装置毎の表示サイズのコンテンツを作成しているが、元のコンテンツを特定のルール（例えば1/2サイズ）で複数の表示サイズのコンテンツを作成して、予め準備するようにしても良い。これにより、新たに追加する操作端末は、自分の表示サイズにもっとも近い表示サイズのコンテンツを取得して表示できるようになり、操作端末を追加するたびに表示用のコンテンツを作成する必要が無くなる。
【００７５】
また、本実施例では、前記表示装置１０５を１台だけ前記ネットワーク１０７に接続した形態を説明しているが、前記ネットワーク１０７に複数の表示装置を接続する形態をとっても良い。この場合、新たに追加する表示装置を前記ネットワーク１０７に接続し、前記コンテンツサーバー１０１の前記コンテンツアクセス管理部１１４に新たに追加する表示装置のアクセスIDを登録する。前記操作端末１０２は、同期操作を行う表示装置のアクセスIDを選択することで、選択した表示装置と表示画面が同期して操作できるようになる。以上、本発明の実施の形態について、その実施の形態に基づき具体的に説明したが、これに限定されるものではなく、その要旨を逸脱しない範囲で種々変更可能である。
【符号の説明】
【００７６】
１０１：コンテンツサーバー、１０２：操作端末、１０３：操作画面、１０４：タッチパネル、１０５：表示装置、１０６：大画面、１０７：ネットワーク、１１１：コンテンツ記録部、１１２：コンテンツ登録編集部、１１３：マルチサイズコンテンツ準備部、１１４：コンテンツアクセス管理部、１１５、１２１、１５１：通信部、１２２、１５２：コンテンツ同期処理部、１２３、１５３：コンテンツ表示部、１２４：入力情報変換部
【図１】
2015161957.tif 000003
【図２】
2015161957.tif 000004
【図３】
2015161957.tif 000005
【図４】
2015161957.tif 000006
【図５】
2015161957.tif 000007
【図６】
2015161957.tif 000008
【図７】
2015161957.tif 000009
【図８】
2015161957.tif 000010
【図９】
2015161957.tif 000011
【図１０】
2015161957.tif 000012